【手続補正書】
【提出日】平成23年9月7日(2011.9.7)
【手続補正１】
【補正対象書類名】特許請求の範囲
【補正対象項目名】全文
【補正方法】変更
【補正の内容】
【特許請求の範囲】
【請求項１】
蒸気を通す素材を具える第１層と、
スペーサー素材を具える第２層と、
第３層とを具える患者支持システムであって、前記第２層が前記第１層と前記第３層との間にあり、
エアムーバを具えており、前記エアムーバが、前記スペーサ素材を介して前記エアムーバに向かって空気を引き寄せるように構成されていることを特徴とするシステム。
【請求項２】
請求項１に記載のシステムにおいて、前記エアムーバが、前記第１層又は前記第３層のいずれか一方と一体化されていることを特徴とするシステム。
【請求項３】
請求項１に記載のシステムにおいて、前記エアムーバが、約６．０ミリメートル水柱より小さい様々な圧力で１分当たりに約２．０立方フィートより少ない空気流を供給するように構成されていることを特徴とするシステム。
【請求項４】
請求項１に記載のシステムにおいて、前記エアムーバが、動作中に約３０．０ｄＢ−Ａのノイズレベルを発生するように構成されていることを特徴とするシステム。
【請求項５】
請求項１に記載のシステムにおいて、さらに、
前記第１層、前記第２層及び前記第３層それぞれが、第１端部と、第２端部と、第１側部と、第２側部とを具えており、
前記第１層及び前記第３層が、前記第１端部、前記第１側部、及び前記第２側部に沿って接着されることを特徴とするシステム。
【請求項６】
請求項５に記載のシステムにおいて、
前記第２層が、前記第２層の第１端部の近くに開口を具えており、
前記第１層の第２端部の少なくとも一部が、前記第３層の第２端部に接着されていないことを特徴とするシステム。
【請求項７】
請求項５に記載のシステムにおいて、前記エアムーバが、動作中に前記第２層の第１端部と第２端部との間の空気を移動させることを特徴とするシステム。
【請求項８】
請求項１に記載のシステムにおいて、前記エアムーバが遠心ファンであることを特徴とするシステム。
【請求項９】
請求項１に記載のシステムにおいて、
前記第１層が、中心部と、２つの側部とを具えており、
前記中心部が、前記２つの側部よりも蒸気透過性が高いことを特徴とするシステム。
【請求項１０】
請求項１に記載のシステムにおいて、前記スペーサ素材が、オープンセルフォーム、天然又は人工のポリマー粒子、フィラメント又は紐、綿繊維、ポリエステル繊維、可撓性のある金属及び合金、形状記憶金属及び合金、並びに形状記憶プラスチック樹脂のうち一つを具えていることを特徴とするシステム。
【請求項１１】
請求項１に記載のシステムがさらに、前記第１層又は前記第３層のいずれか一方に取り付けられたジッパーを具えていることを特徴とするシステム。
【請求項１２】
請求項１に記載のシステムがさらに、前記エアムーバの近くに抗菌装置を具えていることを特徴とするシステム。
【請求項１３】
可撓性のあるスペーサ素材と、
シェルとを具える患者支持システムであって、前記可撓性のあるスペーサ素材が少なくとも部分的に前記シェルに入れられ、前記シェルの第１の部分が蒸気を通し、
エアムーバを具え、前記エアムーバが前記シェルの第１の開口に流体的に接続され、前記エアムーバが前記スペーサ素材を介して空気を移動させるように構成されていることを特徴とするシステム。
【請求項１４】
請求項１３に記載のシステムにおいて、前記エアムーバが前記シェルと一体化されていることを特徴とするシステム。
【請求項１５】
請求項１３に記載のシステムおいて、前記エアムーバが動作中に、約６．０ミリメートル水柱より小さな様々な圧力で、１分当たりに約２．０立方フィートより少ない空気流を供給するように構成されていることを特徴とするシステム。
【請求項１６】
請求項１３に記載のシステムにおいて、前記エアムーバは、前記エアムーバから１メールの距離で測定したときに約３０．０ｄＢ−Ａのノイズレベルを発生するように構成されていることを特徴とするシステム。
【請求項１７】
請求項１３に記載のシステムにおいて、前記シェルの第２の部分が液体を通さないことを特徴とするシステム。
【請求項１８】
請求項１３に記載のシステムにおいて、前記シェルが、前記第１の開口から離れた第２の開口を具えており、前記第２の開口が周囲に対して開いていることを特徴とするシステム。
【請求項１９】
請求項１８に記載のシステムにおいて、前記エアムーバが、前記第２の開口から前記第１の開口まで空気を移動させることを特徴とするシステム。
【請求項２０】
請求項１３に記載のシステムにおいて、前記スペーサ素材が、オープンセルフォーム、天然又は人工のポリマー粒子、フィラメント又は紐、綿繊維、ポリエステル繊維、可撓性のある金属及び合金、形状記憶金属及び合金、並びに形状記憶プラスチック樹脂のうち一つを具えていることを特徴とするシステム。
【請求項２１】
請求項１３に記載のシステムがさらに、前記シェルに取り付けられたジッパーを具えていることを特徴とするシステム。
【請求項２２】
請求項１３に記載のシステムがさらに、前記エアムーバの近くに抗菌装置を具えていることを特徴とするシステム。
【請求項２３】
請求項１３に記載のサポートシステムにおいて、前記可撓性のあるスペーサ素材は、前記可撓性のあるスペーサ素材が前記サポートシステムに横たわる人を支持するときに、前記可撓性のあるスペーサ素材を空気が流れるように構成されていることを特徴とするシステム。
【請求項２４】
人から水蒸気を除去する方法であって、
前記人を支持するサポート面を用意するステップと、
前記サポート面と前記人との間にカバーシートを用意するステップとを具えており、
前記カバーシートが、
前記人の近くの水蒸気を通す素材と、
前記蒸気を通す素材と前記サポート面との間のスペーサ素材と、
前記スペーサ素材を介して空気を引き寄せるように構成されたエアムーバとを具えていることを特徴とする方法。
【請求項２５】
人を支持するサポートシステムであって、
上側部分を介して空気を流すことが可能な第１のスペーサ素材から成る上側部分と、
空気を通さない第２の素材から成る下側部分と、
前記第２の素材の開口と、
前記開口及び前記第１のスペーサ素材を介して空気を移動させるように構成されたエアムーバと、を具えることを特徴とするサポートシステム。
【請求項２６】
請求項２５に記載のサポートシステムにおいて、前記上側部分が、蒸気を通し、液体を通さず、かつ空気を通し又は通さないカバーシートを具えていることを特徴とするサポートシステム。
【請求項２７】
請求項２５に記載のサポートシステムにおいて、前記下側部分は、サポート素材が前記サポートシステム上に横たわる人を支持するときにサポート素材を介して空気を流すことが可能なサポート素材を具えていることを特徴とするシステム。
【請求項２８】
請求項２７に記載のサポートシステムにおいて、前記下側部分がさらに、蒸気を通さず、空気を通さず、かつ液体を通さない素材を具えており、前記サポート素材が、前記第２の素材と、蒸気を通さず、空気を通さず、かつ液体を通さない素材との間にあることを特徴とするサポートシステム。
【請求項２９】
請求項２５に記載のサポートシステムにおいて、前記開口が、前記第２の素材に概略円形の穴を有することを特徴とするサポートシステム。
【請求項３０】
請求項２５に記載のサポートシステムにおいて、前記開口が、前記第２の素材にスリットを具えていることを特徴とするサポートシステム。
【請求項３１】
請求項２５に記載のサポートシステムにおいて、前記開口が、前記下側部分の胴部分又は脚部分の近くに配置されることを特徴とするサポートシステム。
【請求項３２】
請求項２５に記載のサポートシステムにおいて、前記エアムーバが、前記第１のスペーサ素材及び前記開口を介して空気を引き寄せることを特徴とするサポートシステム。
【請求項３３】
水蒸気を通す第１層を具えるカバーシートと、
サポートマットレスと、
吸気口及び排気口を有するエアムーバとを具え、前記吸気口が前記カバーシートに接続され、前記排気口が前記サポートマットレスに接続されることを特徴とするシステム。
【請求項３４】
請求項３３に記載のシステムにおいて、
前記第１層が、水を通さず、かつ空気を通し又は通さず、
前記カバーシートが、水蒸気を通し、水を通さず、かつ空気を通し又は通さない第１層を具えており、
前記カバーシートが、開いた可撓性のある第２層を具えており、
前記カバーシートが、空気、水及び蒸気を通さない第３層を具えていることを特徴とするシステム。
【請求項３５】
請求項３３に記載のシステムにおいて、前記エアムーバが前記サポートマットレスに外付けされることを特徴とするシステム。
【請求項３６】
請求項３３に記載のシステムにおいて、前記エアムーバが前記サポートマットレスと一体化されることを特徴とするシステム。
【請求項３７】
蒸気を通す上側部分と、
シェルに収容されるスペーサ素材を具える下側部分と、
前記シェルと一体化されたエアムーバと、を具えていることを特徴とする患者支持システム。
【請求項３８】
請求項３７に記載のシステムがさらに、サポートマットレスを具えており、
前記下側部分が、前記蒸気を通す上側部分と前記サポートマットレスとの間にあることを特徴とするシステム。
【請求項３９】
請求項３７に記載のシステムにおいて、前記シェルが液体を通さないことを特徴とするシステム。
【請求項４０】
請求項３７に記載のシステムにおいて、前記シェルが、前記蒸気を通さない上側部分の近くに開口を具えていることを特徴とするシステム。
【請求項４１】
請求項３７に記載のシステムにおいて、前記上側部分が空気を通し、前記エアムーバが、前記蒸気を通す上側部分と前記スペーサ素材を介して空気を吸引するように構成されていることを特徴とするシステム。
【請求項４２】
請求項３７に記載のシステムにおいて、前記上側部分が空気を通し、前記エアムーバが、前記スペーサ素材と前記蒸気を通す上側部分を介して空気を排出するように構成されていることを特徴とするシステム。
【請求項４３】
複層のカバーシートであって、
蒸気を通す素材で形成された第１層と、
前記第１層を介して第２層に入る蒸気の流れの少なくとも一部を促進する可撓性のある素材で形成された第２層と、
液体を通さず、気体を通さず、かつ蒸気を通さない素材で形成された第３層と、
前記可撓性のある素材を通して空気を移動させるように構成されている陰圧の供給源とを具えていることを特徴とする複層のカバーシート。
【請求項４４】
請求項４３に記載の複層のカバーシートがさらに、細長部材を具えており、
前記細長部材が、前記複層のカバーシートの第１側部から第２側部に向かって延在しており、
前記細長部材が、前記第２層を介した空気の流れを促進するように構成されていることを特徴とする複層のカバーシート。
【請求項４５】
請求項４３に記載の複層のカバーシートにおいて、前記第２層が、第１の副層と、第２の副層と、第３の副層とを具えており、前記第１及び第３の副層が、前記第２の副層に取り付くように構成された取り付け面を具えていることを特徴とする複層のカバーシート。
【請求項４６】
請求項４５に記載の複層のカバーシートにおいて、前記第２の副層が、前記第１及び第３の副層よりも高い空気透過性を有することを特徴とする複層のカバーシート。
【請求項４７】
請求項４３に記載の複層のカバーシートにおいて、前記陰圧の供給源は、前記複層のカバーシートの内側及び外側の空気及び蒸気を移動させるよう構成されていることを特徴とする複層のカバーシート。
【請求項４８】
請求項４３に記載の複層のカバーシートがさらに、前記複層のカバーシートの内側及び外側の空気及び蒸気を移動させる陽圧の供給源を具えていることを特徴とする複層のカバーシート。
【請求項４９】
請求項４３に記載の複層のカバーシートにおいて、前記第１層を形成する素材が、湿気および蒸気を液体を通さず、かつ空気を通さないことを特徴とする複層のカバーシート。
【請求項５０】
請求項４３に記載の複層のカバーシートにおいて、前記第１層、第２層及び第３層を形成する素材が、１人の患者に対して使用する１回使用の素材を具えていることを特徴とする複層のカバーシート。
【請求項５１】
請求項４３に記載の複層のカバーシートにおいて、前記第１層、第２層及び第３層を形成する素材が、複数の患者に対して使用する複数回使用の素材を具えていることを特徴とする複層のカバーシート。